(57)【要約】【課題】  共用サーバーに保存されるユーザーデータは、一般的にホームページ用のＷｅｂデータ、メールデータ及び顧客情報や動作ログなどのデータベースに大別される。通常、共用サーバーはこれら３種類のデータを合計した容量で契約するが、それぞれの容量を変更することが出来なかった。【解決手段】  Ｗｅｂデータ領域、メールデータ領域及び顧客情報や動作ログなどのデータベース領域を任意の大きさに変更できる領域設定手段を備える。【選択図】図５
2007220060.tif 000002
【特許請求の範囲】
【請求項１】
サーバーのユーザーデータ領域をユーザーに貸し出すレンタルサーバーにおいて、
ユーザーデータ領域のうち、Ｗｅｂデータ領域、メールデータ領域及びデータベース領域を任意の大きさに変更できる領域設定手段を備えることを特徴とするレンタルサーバー。
【請求項２】
予め定められた最小値に１以上の整数を乗じたディスク容量となるようユーザーデータ領域を設定するディスク容量設定手段とを備えることを特徴とする請求項１に記載のレンタルサーバー。
【発明の詳細な説明】
【技術分野】
【０００１】  本発明は、サーバーをユーザーに貸し出すレンタルサーバーに関する。
【背景技術】
【０００２】  インターネット上にホームページや掲示板などを立ち上げるためには、サーバーをインターネットに接続する必要がある。サーバーは大別して専用サーバーと共用サーバーとがあるが、１台のサーバー内に複数のドメインを設定することで、管理／維持費を複数のドメイン（契約者）が共同で負担する共用サーバーが特に個人用途として広く普及している。
【発明の開示】
【発明が解決しようとする課題】
【０００３】  共用サーバーに保存されるユーザーデータは、一般的にホームページ用のＷｅｂデータ、メールデータ及び顧客情報や動作ログなどのデータベースに大別される。通常、共用サーバーはこれら３種類のデータを合計した容量で契約するが、それぞれの容量を変更することが出来なかった。
【課題を解決するための手段】
【０００４】  本発明は上述の課題を解決するために、Ｗｅｂデータ領域、メールデータ領域及び顧客情報や動作ログなどのデータベース領域を任意の大きさに変更できる領域設定手段を備える。
【発明の効果】
【０００５】  本発明によれば、Ｗｅｂデータ領域、メールデータ領域及び顧客情報や動作ログなどのデータベース領域を任意の大きさに変更できる。
【発明を実施するための最良の形態】
【０００６】  以下、本発明による最良の実施形態を、添付図面を参照しながら説明する。
【実施例１】
【０００７】  以下、本発明の第１の実施例を説明する。図１は共用レンタルサーバーの接続イメージ図である。複数台のサーバーから構成される共用レンタルサーバー１はインターネット網２に接続され、外部のユーザーのパソコン３からＩＤとパスワードを使ってログインする。実際には共用レンタルサーバーは必要とするディスク容量に応じて数台から数十台で構成するが、本実施例においては便宜上、３台のサーバー５〜７で共用レンタルサーバー１を構成するものとする。この共用レンタルサーバー１が問題なく動作しているかの確認と、共用レンタルサーバー１に保存されている重要なデータのバックアップのため、サーバー監視用コンピュータ（以下、サーバー監視用ＰＣという）４が共用レンタルサーバー１とは異なる場所に設置された状態でインターネットに接続され、ｐｉｎｇコマンドによるサーバー死活監視など、共用レンタルサーバー１の各種監視とメンテナンスを行う。【０００８】  図２は共用レンタルサーバー１のサービスをユーザーが申し込むときの申し込み用ホームページの画面の一部分１２を示す。ユーザーは自分が契約を希望するディスク容量を、最小値１ＭＢ、最大値１０００ＭＢの間で１ＭＢステップで選択することが可能である。１ＭＢ単位はアップダウンボタン１３、１０ＭＢ単位はアップダウンボタン１４、１００ＭＢ単位はアップダウンボタン１５で数字の０から９までの何れかを選択する。なお、最大容量の１０００ＭＢを選択するアップダウンボタン１６では数字の０か１しか選択できない。また、このアップダウンボタン１６で数字の１が選択されたときに、他のアップダウンボタン１３〜１５で０以外が選ばれているときは「ディスク容量が最大値をオーバーしています」というエラーメッセージを出す。【０００９】  レンタルサーバーの申し込み時、ユーザーは契約期間をアップダウンボタン１７を用いて月単位で選択する。このディスク容量と契約期間によって、月額料金、初期費用、契約期間に月額金額を乗じた使用月額料金の合計、及びこの使用月額料金に初期費用を加算した総合計費用がそれぞれホームページ上のボックス１８〜２１に表示される。ユーザーはこの費用を確認後、ユーザーの住所や氏名、メールアドレスなど必要事項をホームページ上に入力し、申込手続を進めていく。【００１０】  従って、レンタルサーバーをレンタルする際、ユーザーが簡単なホームページを公開するという目的の場合は、例えば５ＭＢだけレンタルすることも可能である。この場合、実施例においては１ＭＢ当たり月額１００円という設定のため、月額料金は５００円となる。【００１１】  このディスク容量と契約期間はディスク容量設定手段であるサーバー管理ソフトによって各ユーザーのパソコン上に表示されるものでる。【００１２】  図３はサーバー５のデータ格納領域のイメージ図である。サーバー１のハードディスクには、オペレーションシステムがインストールされている領域２２とウィルス対策ソフト等のアプリケーションソフトがインストールされている領域２３とは別に、ユーザーデータを格納するユーザーデータ領域２４を備える。サーバー管理ソフト２８は図２でユーザーが選択したデータ容量に従ってユーザー毎にユーザーデータ領域２４を確保する。【００１３】  図４はユーザーデータ領域２４の単位を示す図である。このユーザーデータ領域２４は図４に示すように１ＭＢ毎に区切られており、ユーザーは最小単位１ＭＢ単位でディスクをレンタル可能である。勿論、最初からユーザーが例えば６０ＭＢというまとまった容量をレンタルすることも可能である。【００１４】  図５はサーバー５〜７におけるユーザーデータ領域の格納状況を説明する図である。ユーザーがデータを格納するユーザーデータ領域２４にはホームページ用のＷｅｂデータ領域２５、メールデータ領域２６及び顧客情報や動作ログなどを保存するデータベース領域２７の３種類のデータ領域が生成される。図４に示す格納状況においてはデータ領域を６０ＭＢレンタルしている場合に、サーバー管理ソフトによってユーザーが各領域に均等に２０ＭＢの領域を割り振っている。【００１５】  ユーザーは領域設定手段であるサーバー管理ソフト２８を使用して各領域を合計６０ＭＢの範囲内で任意の値に変更することが可能である。図６は図５の設定値から領域を変更した状態のデータの格納状況を説明する図であり、Ｗｅｂデータ領域２５を１２ＭＢ、メールデータ領域２６を１６ＭＢ、顧客情報や動作ログなどを保存するデータベース領域２７を３２ＭＢに変化させた状態を示す。従って、ユーザーの使用状況に応じてユーザーデータ領域２４を自由に設定することが可能である。【００１６】  なお、本発明は上述の実施例に限定されることなく、例えばＷｅｂデータ領域２５、メールデータ領域２６及びデータベース領域２７を同一のサーバーに格納せずに異なるサーバーに格納しても良い。【００１７】  また、本発明は複数のユーザーが共用してサーバーを使用する共用サーバーに限定されることなく、専用サーバーに適用することも可能であり本発明の趣旨を逸脱しない範囲で種々の態様を取り得る。
【図面の簡単な説明】
【００１８】
【図１】共用レンタルサーバーの接続イメージ図。
【図２】共用レンタルサーバー１のサービスをユーザーが申し込むときの申し込み用ホームページの一部分を示す図。
【図３】サーバー５のデータ格納領域のイメージ図。
【図４】サーバー５〜７におけるユーザーデータ領域の単位を示す図。
【図５】サーバー５〜７におけるユーザーデータ領域の格納状況を説明する図。
【図６】図５の設定値から領域を変更した状態のデータの格納状況を説明する図。
【符号の説明】
【００１９】１  共用レンタルサーバー
２  インターネット網
３  ユーザーのパソコン
４  サーバー監視用コンピュータ
５〜７  サーバー
２４  ユーザーデータ領域
２８  サーバー管理ソフト
【図１】
2007220060.tif 000003
【図２】
2007220060.tif 000004
【図３】
2007220060.tif 000005
【図４】
2007220060.tif 000006
【図５】
2007220060.tif 000007
【図６】
2007220060.tif 000008